(57)【要約】【課題】垂直母線組立体を盤外で組立てることができるようにして、垂直母線の組立作業効率を向上させた配電盤を得る。【解決手段】盤のフレームを構成する箱体２内に電力を供給する水平母線４と、これに接続され各機能ユニット３へ電力を分配する垂直母線７を有する配電盤において、上記垂直母線７を保持する複数の垂直母線サポート６を内取付枠８に取り付け固定して構成した垂直母線組立体５を、上記箱体２に組み込んで固定するようにした。【選択図】図５
2006246547.tif 000002
【特許請求の範囲】
【請求項１】
盤のフレームを構成する箱体内に電力を供給する水平母線と、これに接続され各機能ユニットへ電力を分配する垂直母線を有する配電盤において、上記垂直母線を保持する複数の垂直母線サポートを内取付枠に取り付け固定して構成した垂直母線組立体を、上記箱体に組み込んで固定するようにしたことを特徴とする配電盤。
【請求項２】
上記垂直母線組立体を、上記箱体の一部を構成する外取付枠に取り付けて固定するようにしたことを特徴とする請求項１記載の配電盤。
【請求項３】
上記垂直母線組立体は、上記内取付枠の長手方向の両端を上記外取付枠に固定するようにした請求項２記載の配電盤。
【請求項４】
上記内取付枠には、複数の上記垂直母線サポートに対する予備の取り付け止め部を設け、複数の上記垂直母線サポートを所望のピッチで取付けられるようにした請求項１記載の配電盤。
【請求項５】
盤のフレームを構成する箱体内に電力を供給する水平母線と、これに接続され各機能ユニットへ電力を分配する垂直母線を有する配電盤の製造方法において、上記垂直母線を保持する複数の垂直母線サポートを内取付枠に取り付け固定して垂直母線組立体を構成した後に、上記垂直母線組立体を上記箱体に組み込んで固定するようにしたことを特徴とする配電盤の製造方法。
【請求項６】
上記垂直母線組立体を、上記箱体の一部を構成する外取付枠に取り付けて固定するようにしたことを特徴とする請求項５記載の配電盤の製造方法。
【発明の詳細な説明】
【技術分野】
【０００１】
この発明は、箱体内に垂直に母線が配置されている配電盤及びその製造方法に関するものである。
【背景技術】
【０００２】
図９は、従来の配電盤の要部を示す概略正面図である。図１０は図９のＣ−Ｃ線断面図である。図９は、その正面側の機能ユニット３と垂直母線カバー１１を取り除いて示すものである。配電盤の箱体１２内には、垂直方向に組み込まれた各機能ユニット３に電力を供給するために、垂直方向に母線（垂直母線）７が配置されている。垂直母線７を箱体１２に組み付け固定するときは、箱体１２を構成するフレームである取付枠１３に複数の垂直母線サポート６をそれぞれ取付て固定した後、その各垂直母線サポート６に垂直母線７を取付て固定していた。なお、同種の配電盤は特許文献１に開示されている。
【０００３】
【特許文献１】特開２００１−６９６１７号公報
【発明の開示】
【発明が解決しようとする課題】
【０００４】
従来の配電盤では、垂直母線サポート６を取り付る取付枠１３が、箱体構成部材と共用していた為、垂直母線サポート６を箱体に直接組み付け、その後、垂直母線７を箱体に取付けていた。そのため、取付ける箱体が出来上がっていなければ垂直母線７の組み付けが行なえず作業効率が悪かった。また、箱体内での組立の為、狭いスペースでの作業が発生して作業性が悪かった。
この発明は、上記のような問題点を解消するためになされたもので、配電盤の垂直母線の組立作業効率を向上させることを目的とする。
【課題を解決するための手段】
【０００５】
この発明に係わる配電盤は、盤のフレームを構成する箱体内に電力を供給する水平母線と、これに接続され各機能ユニットへ電力を分配する垂直母線を有する配電盤において、上記垂直母線を保持する複数の垂直母線サポートを内取付枠に取り付け固定して構成した垂直母線組立体を、上記箱体に組み込んで固定するようにしたものである。
【０００６】
また、この発明に係わる配電盤の製造方法は、盤のフレームを構成する箱体内に電力を供給する水平母線と、これに接続され各機能ユニットへ電力を分配する垂直母線を有する配電盤の製造方法において、上記垂直母線を保持する複数の垂直母線サポートを内取付枠に取り付け固定して垂直母線組立体を構成した後に、上記垂直母線組立体を上記箱体に組み込んで固定するようにしたものである。
【発明の効果】
【０００７】
この発明の配電盤及びその製造方法によれば、配電盤の箱体のスペースにとらわれずに、垂直母線組立体を盤外で組立てることが可能であり、組立てた垂直母線組立体を盤のフレームを構成する箱体内に組み込むため、垂直母線の組立、組み込み作業効率を向上させることができる。また、垂直母線組立体は配電盤の箱体の有無に係わらず、垂直母線の組立が行なえるため、作り置きが可能となり、組立作業の効率化を図ることができる。
【発明を実施するための最良の形態】
【０００８】
実施の形態１．
図１はこの発明の実施の形態１である配電盤を示す正面図である。図２は図１のＡ−Ａ線に沿う断面図である。図３は図１のＢ−Ｂ線に沿う断面図である。図において、配電盤１は、盤のフレームを構成する箱体２と盤の前後部に組み上げて搭載される複数の機能ユニット３とを有している。また、配電盤１は、電源より電力を供給する盤内裏側上部に配設された水平母線４、及び前後部の各機能ユニット３へ電力を供給するために、盤中央部に配設され銅・アルミニウムなどの導電材料を使用したＺ字状の垂直母線７を有している。
【０００９】
垂直母線７は、垂直母線７を保持する複数の垂直母線サポート６を内取付枠８に取付け固定して構成した垂直母線組立体５を箱体２の外取付枠２ａに組み込んで固定している。垂直母線組立体５は垂直母線カバー１１により各機能ユニット３から隔離されている。機能ユニット３はその裏部に設けられた接触子３ａによって垂直母線７と接続され、電力の供給を受けており、垂直母線カバー１１には接触子３ａが通る角穴１１ａが設けられている。
【００１０】
図４は実施の形態１に用いる垂直母線組立体を示す分解斜視図である。垂直母線組立体７の組み立てについて説明する。垂直母線７にそれを支持するために必要とする垂直母線サポート６を複数取り付ける。垂直母線サポート６は、３相の垂直母線７間を、必要とする絶縁距離を隔てて両側から挟み込む絶縁部材６ａ，６ｂと、それらを両側から押圧し支持する支持金具６ｃ，６ｄとを、ねじ６ｅによって締め付けて構成されている。ねじ６ｅと垂直母線７間も必要とする絶縁距離が設けられている。垂直母線７に設ける複数個の垂直母線サポート６間は、必要とする所望の距離隔てている。
【００１１】
３相の垂直母線７を保持し所望の間隔にて配置された垂直母線サポート６は、互いに向き合う２つのコ字状の金属製内取付枠８にねじ６ｆによって取り付けられる。このようにして、垂直母線組立体７が組立てられる。内取付枠８には、複数個ある垂直母線サポート６の間隔を、盤の仕様毎に異なる機械的強度によって容易に変更できるように、所定間隔で予備のねじ孔(取り付け止め部)が設けられている。そのため、垂直母線組立体５を仕様毎に作り置きすることができる。さらに、垂直母線７、垂直母線サポート６及び内取付枠８を一つの組立体にする、即ちアセンブリ化することによって、垂直母線組立体５は箱体１とは、別の場所、別の時間で組立可能となり、箱体１に依存せずに製作を行なうことができる。
【００１２】
図５は図４で組立てられた垂直母線組立体５を箱体２に取り付ける様子を示す分解斜視図であり、図６は垂直母線組立体５を箱体２に取り付けた状態を示す斜視図である。図７は図６の垂直母線７に水平母線４を接続して取り付けた正面図である。図に示すように、組立てられた垂直母線組立体５は、あらかじめ横倒しされた状態の箱体２の中央に配置される。箱体２には、箱体２の一部を構成する外取付枠２ａが両側の中央にそれぞれ設けられている。さらに箱体２の一部を構成する外取付枠９が、両外取付枠２ａの上端間に固定されている。両外取付枠２ａの下端部には、下取付枠１０が、両外取付枠２ａ間に、上下方向の位置を選択して固定し得るように設けられている。
【００１３】
垂直母線組立体５は、両外取付枠２ａ、外取付枠９と下取付枠１０で囲まれるスペースに配置され、垂直母線組立体５の上端を外取付板９の左右方向中央にねじで固定する。さらに、垂直母線組立体５の下端は、下取付枠１０の左右方向中央に保持され、ねじで固定されている。そして、その下取付枠１０は左右両側の外取付枠２ａにねじで固定される。つまり、垂直母線組立体５の下端は、下取付枠１０を介して外取付枠２ａに固定される。垂直母線組立体５は、外取付枠９と下取付枠（支持枠）１０によって上下から挟み込むように取付けられる。このように、アセンブリ化された垂直母線組立体５を箱体２の外取付枠９、２ａに取付ることで、狭いスペースでの作業も少なくなり作業性が向上する。
【００１４】
垂直母線組立体５の前面側及び裏面側には、垂直母線カバー１１が配置され、内取付枠８と箱体２の一部を構成する外取付枠２ａに垂直方向に複数枚がねじで取り付け固定される。なお、図７では、垂直母線カバー１１を鎖線で示している。垂直母線カバー１１は、垂直母線７より電力の供給を受ける機能ユニット３の接触子３ａを挿入する角穴１１ａ以外は、機能ユニット３と垂直母線７を遮蔽することができる。このような構成にすることで、例えば機能ユニット３で事故などが起こった際にも垂直母線７や他の機能ユニット３への事故の波及を少なくすることができる。
【００１５】
実施の形態２．
図８は実施の形態２の配電盤を示す概略断面図である。実施の形態１の説明では垂直母線７はＺ字状のものとして説明したが形状が平板状垂直母線７であっても上記のものと同等の効果を奏する。
また、実施の形態１の説明では、複数の部品で構成される垂直母線サポート６によって垂直母線７の前側と後側より挟み込むように押圧し支持する例を説明したが、あらかじめ垂直母線７の貫通する孔の設けられた垂直母線サポート６に垂直母線７を貫通させて支持させるようにしても、上記のものと同等の効果を奏する。
【図面の簡単な説明】
【００１６】
【図１】この発明の実施の形態１である配電盤を示す正面図である。
【図２】図１のＡ−Ａ線に沿う断面図である。
【図３】図１のＢ−Ｂ線に沿う断面図である。
【図４】実施の形態１に用いる垂直母線組立体を示す分解斜視図である。
【図５】図４で組立てられた垂直母線組立体を箱体に取り付ける様子を示す分解斜視図である。
【図６】垂直母線組立体を箱体に取り付けた状態を示す斜視図である。
【図７】図６の垂直母線に水平母線を接続して取り付けた正面図である。
【図８】実施の形態２の配電盤を示す概略断面図である。
【図９】従来の配電盤の要部を示す概略正面図である。
【図１０】図９のＣ−Ｃ線断面図である。
【符号の説明】
【００１７】
１  配電盤                              ２  箱体
２ａ  外取付枠                            ３  機能ユニット
３ａ  接触子                            ４  水平母線
５  垂直母線組立体                        ６  垂直母線サポート
６ａ，６ｂ  絶縁部材                    ６ｃ，６ｄ  支持金具
６ｅ  ねじ                              ６ｆ  ねじ
７  垂直母線                            ８  内取付枠
９  外取付枠                          １０  下取付枠
１１  垂直母線カバー                    １１ａ  角穴
１２  箱体                              １３  取付枠
【図１】
2006246547.tif 000003
【図２】
2006246547.tif 000004
【図３】
2006246547.tif 000005
【図４】
2006246547.tif 000006
【図５】
2006246547.tif 000007
【図６】
2006246547.tif 000008
【図７】
2006246547.tif 000009
【図８】
2006246547.tif 000010
【図９】
2006246547.tif 000011
【図１０】
2006246547.tif 000012
【手続補正書】
【提出日】平成17年6月28日(2005.6.28)
【手続補正１】
【補正対象書類名】図面
【補正対象項目名】図１
【補正方法】変更
【補正の内容】
【図１】
2006246547.tif 000013
【手続補正２】
【補正対象書類名】図面
【補正対象項目名】図３
【補正方法】変更
【補正の内容】
【図３】
2006246547.tif 000014
【手続補正３】
【補正対象書類名】図面
【補正対象項目名】図４
【補正方法】変更
【補正の内容】
【図４】
2006246547.tif 000015
【手続補正４】
【補正対象書類名】図面
【補正対象項目名】図５
【補正方法】変更
【補正の内容】
【図５】
2006246547.tif 000016